(57)【要約】【課題】映画のように長時間で高画質を要するコンテンツがデータカルーセル伝送で送られているときに、このコンテンツの取得効率について改善を図る。【解決手段】放送送信装置（放送局）２０１からデータカルーセル伝送しているコンテンツと同一のものを通信サイト（サーバー）２０２に用意しておく。放送受信通信装置２０４は、放送送信装置（放送局）２０１からコンテンツを受信すると同時に、未だ放送送信装置（放送局）２０１から受信していないコンテンツのデータを通信サイト（サーバー）２０２へ要求し取得する。通信サイト（サーバー）２０２は、通信経路を通じてコンテンツをセグメント単位で提供することで、対応する放送受信通信装置においてその接続する通信能力に応じてコンテンツの取得効率を向上させることができる。【選択図】　　　図２
2004120150.tif 000002
【特許請求の範囲】
【請求項１】
カルーセル伝送により放送するためのコンテンツを複数の分割データに分割する分割手段と、
前記放送により放送される前記コンテンツと同一のコンテンツを有する通信装置のリソースを一意に識別するための識別子を生成する識別子生成手段と、
前記分割手段により分割された前記コンテンツおよび前記識別子生成手段により生成された前記識別子を放送するために送出する送出装置とを備えたことを特徴とする放送装置。
【請求項２】
前記分割データの伝送順を記載した伝送順リストを生成する伝送順リスト生成手段を有し、
前記伝送順リスト生成手段により生成した前記伝送順リストを前記送出装置により送出させる手段とを有することを特徴とする請求項１記載の放送装置。
【請求項３】
カルーセル伝送により放送するためのコンテンツを複数の分割データに分割する分割手段と、前記分割手段により分割された前記コンテンツを放送するために送出する送出装置とを備えたことを特徴とする放送装置から送出されるものと同じコンテンツを保持する保持手段と、
受信装置からの要求に応じて前記分割データを前記受信装置へ送出する分割データ送出手段とを備えたことを特徴とする通信装置。
【請求項４】
前記放送される前記分割データの伝送順を記載した伝送順リストを前記受信装置へ送出する伝送順リスト送出手段を備えたことを特徴とする請求項３記載の通信装置。
【請求項５】
カルーセル伝送により放送するためのコンテンツを複数の分割データに分割する分割手段と、前記分割手段により分割された前記コンテンツを放送するために送出する送出装置とを備えたことを特徴とする放送装置から放送された放送波を受信するチューナと、
前記チューナにより受信した信号から前記コンテンツを得る受信手段と、
前記コンテンツの内、前記受信手段が受信していない前記コンテンツに対応した前記分割データを、通信回線を介して前記通信装置から得る通信手段と、
前記コンテンツを構成する分割データの、前記受信手段および前記通信手段による取得状況を管理し更新するデータ取得管理手段と、
前記受信手段および前記通信手段により取得した前記分割データを蓄積部へ蓄積する蓄積制御手段とを有することを特徴とする放送受信通信装置。
【請求項６】
前記蓄積制御手段は、前記放送から取得するのと逆の順に順次、前記通信回線を介して前記分割データを取得するよう制御する手段を備えたことを特徴とする請求項５記載の放送受信通信装置。
【請求項７】
前記蓄積制御手段は、前記放送から取得するのと最も時間を要する前記分割データから順次、前記通信回線を介して前記分割データを取得するよう制御する手段を備えたことを特徴とする請求項５記載の放送受信通信装置。
【請求項８】
前記チューナが受信する放送波には、前記通信装置へアクセスするための一意に識別するための識別情報が含まれており、
前記通信手段は、前記識別情報に基づいて前記通信装置へアクセスし前記分割データを取得する手段を有することを特徴とする請求項５に記載の放送受信通信装置。
【発明の詳細な説明】
【０００１】
【発明の属する技術分野】
この発明は、データを受信・通信する放送受信通信装置に関し、特にデータカルーセルで放送されたコンテンツと同じデータを放送とは異なる他の通信路からも送受信する放送受信通信装置に関する。
【０００２】
【従来の技術】
ディジタル放送では通常、ＨＤＴＶ（Ｈｉｇｈ　Ｄｅｆｉｎｉｔｉｏｎ　Ｔｅｌｅｖｉｓｉｏｎ）が約２０Ｍｂｐｓ、ＳＤＴＶ（Ｓｔａｎｄａｒｄ　Ｄｅｆｉｎｉｔｉｏｎ　Ｔｅｌｅｖｉｓｉｏｎ）でも４〜１０Ｍｂｐｓ程度の伝送帯域を割り当てており、大容量コンテンツの長時間伝送が可能である。
【０００３】
放送コンテンツの伝送はストリーム型（ＰＥＳ伝送）とファイル型（データカルーセル伝送）に大別される。このうち、ファイル型は一般にデータカルーセル伝送方式を利用し、一般に非リアルタイム伝送において所定の単位（モジュール／ブロック）に分割して繰り返し伝送される。コンテンツが明確な区切りを持って伝送されているため、通常、受信機では伝送期間中であれば任意のタイミングからコンテンツを取得開始し、損失なく完全に取得することが可能である。このため課金単位としても扱いやすいため、有料のコンテンツ配信サービスにも適している。
【０００４】
このデータカルーセル伝送では、コンテンツの取得を開始してから完全に取得し再生を開始できるまで少なくとも１カルーセル周期分は待たなければならない。降雨減衰等の伝送誤りによってコンテンツの一部が受信装置で取得できないと、この該当データが再び伝送されてくるまで少なくとも更に１カルーセル周期分は待たなければならないこともある。
【０００５】
そこで、通信も利用した放送データ取得が考えられており、放送でのデータカルーセル伝送での取りこぼしが発生した場合に通信経由でデータを取得する補完的なものが知られている（例えば、特許文献１参照）。
【０００６】
【特許文献１】
特開２００２−１１８８１２号公報（出願人：松下電器産業（株）、発明の名称：デジタル放送受信装置、第４−７頁、図２、図４）
【０００７】
【発明が解決しようとする課題】
しかし、従来の放送受信装置では、放送でのデータカルーセル伝送での取りこぼしが発生した場合に通信経由でデータを取得する補完的なもので、放送／通信の取得経路が択一的であった。このため、原理上せいぜい１カルーセル周期の時間で取得を完了するものであって、取りこぼしが発生しない通常での取得効率については改善を図ることができないという問題があった。
【０００８】
特に映画のように高画質で長時間を要するコンテンツを、データカルーセル伝送を利用して放送する場合には、定常的に受信機側で完全かつ迅速に取得して再生することは難しいという問題があった。
【０００９】
この発明の目的は、放送コンテンツを受信取得しながら同時に、通信経由でも受信機からの要求に基づいて適宜、同一コンテンツのセグメントデータを取得することで、対応受信機では原理的に１カルーセル周期より短い時間でコンテンツを取得し、コンテンツの取得効率を向上することにある。
【００１０】
【課題を解決するための手段】
上記の目的を達成するために、この発明においては、カルーセル伝送により放送するためのコンテンツを複数の分割データに分割する分割手段と、前記放送により放送される前記コンテンツと同一のコンテンツを有する通信装置のリソースを一意に識別するための識別子を生成する識別子生成手段と、前記分割手段により分割された前記コンテンツおよび前記識別子生成手段により生成された前記識別子を放送するために送出する送出装置とを備えたことを特徴とする放送装置を提供する。
【００１１】
また、上記の目的を達成するために、この発明においては、カルーセル伝送により放送するためのコンテンツを複数の分割データに分割する分割手段と、前記分割手段により分割された前記コンテンツを放送するために送出する送出装置とを備えたことを特徴とする放送装置から送出されるものと同じコンテンツを保持する保持手段と、受信装置からの要求に応じて前記分割データを前記受信装置へ送出する分割データ送出手段とを備えたことを特徴とする通信装置を提供する。
【００１２】
また、上記の目的を達成するために、この発明においては、カルーセル伝送により放送するためのコンテンツを複数の分割データに分割する分割手段と、前記分割手段により分割された前記コンテンツを放送するために送出する送出装置とを備えたことを特徴とする放送装置から放送された放送波を受信するチューナと、前記チューナにより受信した信号から前記コンテンツを得る受信手段と、前記コンテンツの内、前記受信手段が受信していない前記コンテンツに対応した前記分割データを、通信回線を介して前記通信装置から得る通信手段と、前記コンテンツを構成する分割データの、前記受信手段および前記通信手段による取得状況を管理し更新するデータ取得管理手段と、前記受信手段および前記通信手段により取得した前記分割データを蓄積部へ蓄積する蓄積制御手段とを有することを特徴とする放送受信通信装置を提供する。
【００１３】
【発明の実施の形態】
まず、データカルーセル方式について説明する。
データカルーセル方式はＩＳＯ／ＩＥＣ　１３８１８−６で定義されたＤＳＭ−ＣＣ（ＤｉｇｉｔａｌＳｔｏｒａｇｅ　Ｍｅｄｉａ　Ｃｏｍｍａｎｄ　ａｎｄ　Ｃｏｎｔｒｏｌ）データカルーセル仕様を基に、ＡＲＩＢ　ＳＴＤ−Ｂ２４　Ｖｅｒ３．０　第三編に規定されている。
【００１４】
図１はデータカルーセル伝送方式を説明するための図である。データカルーセル伝送では、データコンテンツはモジュールと呼ばれる単位に分割され伝送される。この図１では、１カルーセルのデータは＃１〜＃ＮのＮ個のモジュールに分割され送信される。更に１つのモジュールはＤＤＢ（ＤｏｗｎｌｏａｄＤａｔａＢｌｏｃｋ）と呼ばれる固定長ブロック単位に分割され伝送される。この図１では、モジュール＃１は、＃１〜＃ＭのＭ個のＤＤＢに分割され伝送される。
【００１５】
また、上記ＤＤＢを再構成するための情報としてＤＩＩ（ＤｏｗｎｌｏａｄＩｎｆｏＩｎｄｉｃａｔｉｏｎ）と呼ばれる情報を併せて伝送する。このＤＩＩにはカルーセル全体やモジュールのさまざまな関連情報が記載可能である。これらＤＤＢとＤＩＩは放送局側の任意の周期で、周期的に繰り返し伝送される。
【００１６】
この方式を利用して例えば映画のように高画質でかつ長時間のコンテンツを伝送することは、実際には利用可能な伝送帯域や番組編成上の伝送時間の制約上難しい。例えば、再生時間長２［時間］、平均８［Ｍｂｐｓ］の符号化レートのコンテンツを４［Ｍｂｐｓ］の伝送帯域で伝送する場合、カルーセル周期は約４［時間］となる。仮にカルーセル回数を３回とすると編成上は４［時間］×３＝１２［時間］を要する。これは８［Ｍｂｐｓ］の伝送帯域で同一コンテンツをストリーム型で伝送する場合の６倍の時間枠に相当する。
【００１７】
このため、いずれにせよ現実には小容量コンテンツ伝送の場合と比較するとカルーセル回数は非常に少なくなる傾向にあり、利用者からみた場合、データカルーセル伝送方式の特徴であるランダムアクセス性が制約されてしまう。
【００１８】
一方、通信ではｘＤＳＬ（ｘ　Ｄｉｇｉｔａｌ　Ｓｕｂｓｃｒｉｂｅｒ　Ｌｉｎｅ）、ＣＡＴＶ（Ｃａｂｌｅ　Ｔｅｌｅｖｉｓｉｏｎ）、ＦＴＴＨ（Ｆｉｂｅｒ　Ｔｏ　Ｔｈｅ　Ｈｏｍｅ）等ブロードバンド回線が急速に普及している。しかし、放送の場合と異なり基本的にはベストエフォート方式であり、各家庭での利用環境や回線使用状況に左右されてしまう。また、その実効速度も現状では数百Ｋｂｐｓから数Ｍｂｐｓ程度が大半であり、大容量コンテンツを安定して配信することは放送と比べても困難である。
【００１９】
本発明ではデータカルーセル伝送方式を用いて放送するコンテンツを通信サイト（サーバー）にも用意しておき、受信側ではこのコンテンツを放送から受信取得すると同時に、通信からも取得することにより効率的に短時間で取得する。
【００２０】
通信サイト（サーバー）は放送局自身で運営しても良いし、放送局の外部が運営していてもどちらであっても良い。
本発明の放送通信システムについて図２を用いて説明する。
図２は、本発明の放送通信システムを示す図である。本発明においてコンテンツは放送送信装置２０１からデータカルーセル伝送で送信される。このとき放送信号中には例えば、ＤＩＩ中のモジュール情報領域またはプライベート領域にコンテンツを配置する通信サイト（サーバー）２０２のＵＲＩ（Ｕｎｉｆｏｒｍ　ＲｅｓｏｕｒｃｅＩｄｅｎｔｉｆｉｅｒ）を示す記述子を記載し伝送する。
【００２１】
ＵＲＩはリソースを一意に識別するための構文である。例えば、インターネット上のリソースの配置場所を示すＵＲＬ（Ｕｎｉｆｏｒｍ　Ｒｅｓｏｕｒｃｅ　Ｌｏｃａｔｏｒ）でも良い。
【００２２】
従来の放送受信専用装置２０３では、放送送信装置２０１からデータカルーセル伝送で送信されるコンテンツのみを少なくとも１カルーセル周期かけて受信取得する。
【００２３】
また、放送受信通信装置２０４では、放送送信装置２０１からデータカルーセル伝送で送信されるコンテンツを受信取得すると同時に、ＤＩＩ中のモジュール情報領域またはプライベート領域から取得したＵＲＩを参照し、該当する通信サイト（サーバー）２０２に通信回線を用いてアクセスし、同コンテンツのうち未取得のブロックやモジュール等のデータセグメントを後述する順番で順次要求し受信取得する。この結果放送受信通信装置では基本的には１カルーセル周期より短時間で所望のコンテンツを取得することができる。
【００２４】
図２の例では放送受信専用装置２０３および放送受信通信装置２０４はカルーセル伝送されている同じコンテンツを同時に取得し始めた例で、両受信装置２０３，２０４は共に、放送からはモジュール＃４から取得開始してモジュール＃５迄取り込みが完了していることを示している。
【００２５】
放送受信専用装置２０３は、放送専用の受信装置であり通信サイト（サーバー）２０２からはコンテンツを取得しない。
放送受信通信装置２０４は、上記別途通信回線を用いて通信サイト（サーバー）２０２からモジュール＃３および＃２についても取得していることを示している。放送受信通信装置２０４は、通信回線を介して通信サイト（サーバー）へ取得要求し、放送で取り込み開始し始めたモジュール＃４の１つ前のモジュール＃３から遡った順番（即ち放送される順番とは逆の順番）でコンテンツのモジュールを取得する。
【００２６】
本発明の放送受信通信装置の構成について図３を用いて詳細に説明する。
図３は、本発明の放送受信通信装置の構成を示す図である。
図３において、各ブロックは共通のバスを介して接続されている。チューナ３０１は、図示しないアンテナ端子から入力したＲＦのディジタル放送信号から所定のチャンネルを選局し、復調／誤り訂正復号器３０２に出力する。復調／誤り訂正復号器３０２は、Ａ／Ｄ変換後、例えばＱＡＭやＱＰＳＫ等の送信側でディジタル変調処理された信号を復調し、更にビタビ符号等の畳み込み符号化やＲＳ（リード・ソロモン）符号化された信号を復号化し、この復号化したトランスポート・ストリーム（以下、ＴＳと記す）をトランスポート処理器３０３に出力する。
【００２７】
トランスポート処理器３０３は、ＴＳの形式で多重されてきた、一般には複数のサービス（放送番組）の中から所定の番組（サービス）を選択し、この選択した番組（サービス）を構成する映像や音声やデータの信号を多重分離しデパケット処理を行う。
【００２８】
ＣＰＵ３１１は、データカルーセル方式によるコンテンツの場合、トランスポート処理器３０３を経たモジュールもしくはブロックをＲＡＭ３１０或いはＨＤＤ３１３を利用して展開し再構成する。
【００２９】
また、トランスポート処理器３０３は、ＲＡＭ３１０或いはＨＤＤ３１３を利用して展開され再構成された映像信号、音声信号をそれぞれの圧縮信号に戻して映像復号器３０４や音声復号器３０５に出力する。
【００３０】
また、トランスポート処理器３０３は、映像、音声とともに多重されているＰＳＩ（Ｐｒｏｇｒａｍ　Ｓｐｅｃｉｆｉｃ　Ｉｎｆｏｒｍａｔｉｏｎ）やＳＩ（Ｓｅｒｖｉｃｅ　Ｉｎｆｏｒｍａｔｉｏｎ）等の番組情報に関しても分離してＲＡＭ３１０に出力する。また、一連のプログラム等はＲＯＭ３０９に格納しておき、放送受信通信装置の電源ＯＮ時にロードして起動させる。また、ユーザの設定情報等、放送受信通信装置の電源ＯＦＦ後も記憶が必要な情報については不揮発性メモリ３０８に保持しておく。
【００３１】
そして、映像復号器３０４ではＲＡＭ３１０に復号化された映像フレームを蓄えながらＭＰＥＧ２等の映像高能率符号化方式で符号化された信号を復号して、Ｙ、Ｃｂ、Ｃｒのディジタルのコンポーネント信号として出力し、必要に応じＯＳＤ処理器３０６のグラフィック出力と重畳処理して出力する。音声についても同様に音声復号器３０５でＭＰＥＧ２−ＡＡＣ等の圧縮復号をして出力する。
【００３２】
なお、放送通信装置がアナログ出力する場合には、ＯＳＤ処理器３０６の映像出力は、図示しないＮＴＳＣエンコーダを経てＮＴＳＣアナログのコンポジット信号に変換して出力する。また、音声復号器３０５の出力は、図示しない音声Ｄ／Ａ変換器にてアナログの音声信号に変換して放送受信通信装置の外部へ出力する。
【００３３】
また、放送受信通信装置はモデム／ＬＡＮ３１２を通じて通信サイト（サーバー）にアクセスし、必要なデータを要求し受信する。
上記信号処理を適切に行うため、ＣＰＵ３１１が用意され、周辺機器の支援を行っている。例えば、ＣＰＵ３１１ではトランスポート処理から多重分離し、ＲＡＭ３１０に蓄えられ、利用可能な形に加工されたＰＳＩのデータを解析し、リモコン等を通じ入出力部３０７で受け付けた選局（サービス指定）入力に従い、指定されたサービス（番組）を構成する映像、音声等の各伝送識別子をトランスポート処理器３０３にセットする。
【００３４】
また、ＣＰＵ３１１は映像復号器３０４、音声復号器３０５、ＯＳＤ処理器３０６等の周辺回路の再生動作を制御する。特にＯＳＤ処理器３０６には、必要に応じ、ＰＳＩ同様ＲＡＭ３１０で保持管理されるＳＩのデータを加工編集し、ＥＰＧ（電子番組ガイド）表示を実行するよう指示する。
【００３５】
ここまでが放送受信通信装置の構成の説明である。
さて、一般にデータカルーセル伝送において、モジュールもしくはブロックの伝送順は任意である。このため送信側では放送でのブロックの伝送順リストを作成し、当該通信サイト（サーバー）から放送受信通信装置へ提供可能としておく。本発明の放送受信通信装置は、通信サイト（サーバー）へ接続するとまず伝送順リストを取得し、この取得した伝送順リストを基にして効率的に通信サイト（サーバー）からモジュールもしくはブロックを取得する。
【００３６】
次に、図４乃至図６を用いて放送受信通信装置のデータカルーセル伝送によるデータ取得時の動作について詳細に説明する。
図４は、本発明のデータ取得蓄積処理の概要を示す図である。図５は、このデータ取得蓄積処理のフローチャートの一例を示す図である。図６は、データ取得蓄積処理時のデータの状態遷移を示す図である。
【００３７】
図４において括弧内の数字はそれぞれモジュール番号とブロック番号を示している。放送受信開始時にはカルーセル伝送中の時間的に見て直近のモジュールもしくはブロックから順次取得していく。
【００３８】
なお、以下の処理はＣＰＵ３１１が予めＲＯＭに書き込まれているプログラムを実行することにより放送受信通信装置が制御されることによる動作を示すものである。
【００３９】
以下、放送と通信とでどちらから得たブロックかを分かり易いように放送から得られるブロックを放送ブロック，通信から得られるブロックを通信ブロックと記すが、放送／通信という取得経路だけが異なるのみでありデータの中身は同じデータである。
【００４０】
図５は、このデータ取得蓄積処理のフローチャートの一例を示す図である。なお図５は、放送系からのコンテンツの取得と、通信系からのコンテンツの取得とを並行して処理を行うが、シリアルに描いた場合のフローチャートである。
【００４１】
図５において、まず初めに放送受信通信装置は、通信回線を介して通信サイト（サーバー）から伝送順リストを取得し（ステップＳ５０１）、この伝送順リストを基に取得リストを作成する（ステップＳ５０２）。この取得リストには、例えば図６のデータ取得蓄積処理時のデータの状態遷移に示すように、放送コンテンツを構成するモジュールないしブロックの全てに対し、それぞれ未取得（“００”）、放送で取得中（“０１”）、通信で取得中（“１０”）、取得済み（“１１”）、のいずれかの取得状態をＨＤＤ３１３に記録、更新し管理する。デフォルトでは全て未取得（“００”）の状態で、完全取得後はすべて取得済み（“１１”）となる。
【００４２】
そして放送受信を開始した時点でのモジュール番号とブロック番号を示す開始ブロックを認識し（ステップＳ５０３）、この認識した開始ブロックを起点に伝送順リストを参照しながら取得ブロックを設定する（ステップＳ５０４）。
【００４３】
ステップＳ５０４の次に、現在放送で当該コンテンツがカルーセル伝送中であるか否かを判定する（ステップＳ５０５）。
ステップＳ５０５で当該コンテンツがカルーセル伝送中であれば放送から取得順リストによる順にてブロックを取得し（ステップＳ５０６）、１放送ブロックを取得完了したか否かを判定する（ステップＳ５０７）。ステップＳ５０５で現在当該コンテンツがカルーセル伝送中でなければ、後述するステップＳ５０８へ処理を移し、通信回線経由にて通信サイト（サーバー）２０２から残りのデータを取得する。
【００４４】
ステップＳ５０７の判定の結果が、１放送ブロックを取得完了していないことを示す場合（即ち１放送ブロックの取得処理中である場合）、放送と並行して通信回線経由にて通信サイト（サーバー）２０２からもブロックを取得する（ステップＳ５０８）。更にこの放送ブロックを取得完了すれば蓄積処理（Ｓ５１０）を実行する。
【００４５】
次に、通信ブロックを取得完了したか否か判定し（ステップＳ５０９）、通信ブロックを取得完了していない場合には前述したステップＳ５０５の処理へ移り、通信ブロックを取得完了していた場合には、ＨＤＤ３１３への蓄積処理を実行する（ステップＳ５１０）。同じく前述したステップＳ５０７の判定結果が放送ブロックを取得完了していたことを示す場合にも前述したステップＳ５１０にてＨＤＤ３１３への蓄積処理を実行する。
【００４６】
このように、ステップ５０５で放送中でない場合には、直ちにステップＳ５０８へと移り、通信回線経由にて通信サイト（サーバー）２０２から通信ブロック取得処理を実行する。
【００４７】
ステップ５１０による蓄積処理終了後は、取得リストで該当ブロックの取得状態を取得済み（“１１”）に更新し（ステップＳ５１１）、併せて対象の全ブロック取得を完了したか判断する（ステップＳ５１２）。
【００４８】
ステップＳ５１２での判断の結果、対象の全ブロック取得を完了していれば終了し、対象の全ブロック取得を完了していない場合には、ステップ５０４へ戻り取得ルーチンを続行する。
【００４９】
次に、上記図５に示したステップＳ５０４の取得ブロック設定処理について図７を用いて更に詳細に説明する。
図７は、図５に示したステップＳ５０４の取得ブロック設定処理を更に詳細に説明するためのフローチャートである。
最初の放送受信ブロックを起点とするため、これを０とし以下伝送順に番号付けを行っているものとする。
初めに、現在の放送受信ブロックのポインタをＣＰとする（ステップＳ７０１）。
次に、次に取得すべき通信ブロックを決定するか否か判断する（ステップＳ７０２）。放送ブロック終了後であったならば次の放送ブロックに決定し、通信ブロック終了後であったならば次の通信ブロック（この通信ブロック終了のブロックよりも順番で１つ先に放送されるブロック）に決定する。
【００５０】
ステップＳ７０２にて、次に取得すべき通信ブロックを決定する場合、ステップＳ７０１のＣＰの値を仮の通信ポインタＣＣＰに設定（ステップＳ７０３）する。
次に、この仮の通信ポインタＣＣＰの一つ手前の伝送順のブロックを指すものを新たな通信ポインタと設定し直す（ステップＳ７０４）。
次に、ステップＳ７０４で設定し直された新たな通信ポインタに対応するブロックＢ（ＣＣＰ）が未取得かどうか判断する（ステップＳ７０５）。
ステップ７０５での判断の結果が未取得の場合、この未取得であったブロックＢ（ＣＣＰ）を次に取得すべき通信ブロックとして決定し終了する（ステップＳ７０６）。
【００５１】
ステップ７０５での判断の結果が未取得で無い（即ち、既に取得済みの）場合、前記ステップＳ７０４へ戻り、更に一つ手前の伝送順のブロックを設定し直してこのステップＳ７０４およびステップＳ７０５によるルーチンを繰り返す。
【００５２】
またステップＳ７０２で、次に取得すべき通信ブロックを決定しない（即ち、放送ブロックを決定する）場合、現在の放送受信ブロックのポインタＣＰの値を、仮の放送ポインタＢＣＰに設定する（ステップＳ７０７）。
【００５３】
次に、この仮の放送ポインタＢＣＰの一つ後の伝送順のブロックを指すものを新たな放送ポインタと設定し直す（ステップＳ７０８）。
次に、ステップＳ７０８で設定し直された新たな放送ポインタに対応するブロックＢ（ＢＣＰ）が未取得かどうか判断する（ステップＳ７０９）。
ステップＳ７０９での判断の結果が未取得の場合、この未取得であったブロックＢ（ＢＣＰ）を次に取得すべき放送ブロックとして決定し（Ｓ７１０）、現在の放送受信ブロックポインタをこのポインタに更新して終了（ステップＳ７１１）する。
【００５４】
ステップＳ７０９での判断の結果が未取得で無い（即ち、既に取得済みの）場合、前記ステップＳ７０８へ戻り、更に一つ後の伝送順のブロックを設定し直してこのステップＳ７０８およびステップＳ７０９によるルーチンを繰り返す。
【００５５】
以上のように、従来はデータカルーセル伝送方式を用いて放送するコンテンツを、放送を１カルーセル周期かけて取得することで１カルーセルのデータを取得していたが、本発明では放送から取得すると同時に、通信も利用して同じカルーセルデータの内から未取得のデータを取得しているので、１カルーセルのデータを放送により送られる１カルーセル周期よりも短時間で効率的に取得することができる。
【００５６】
なお、本実施例では伝送順リストに関し、通信経由で取得する場合を説明したが、ＤＩＩに対応する記述子を規定して伝送するなど放送経由で提供してもよい。
また、放送での伝送順が予め規定されている場合には、放送もしくは通信経由で提供されない可能性がある。しかし、この場合にも放送受信通信装置では伝送順リストを予め記憶しておくなど伝送順を踏まえて通信経由で取得することになるため、本質的な差異はない。
【００５７】
【発明の効果】
以上説明したようにこの発明によれば、データカルーセル伝送方式を用いて放送するコンテンツを放送から取得すると同時に、通信も利用して同じカルーセルデータの内から未取得のデータを取得しているので、１カルーセルのデータを放送により送られる１カルーセル周期よりも短時間で効率的に取得することができる。
【図面の簡単な説明】
【図１】データカルーセル伝送方式を説明するための図。
【図２】本発明の放送通信システムを示す図。
【図３】本発明の放送受信通信装置の構成を示す図。
【図４】本発明のデータ取得蓄積処理の概要を示す図。
【図５】本発明のデータ取得蓄積処理のフローチャートの一例を示す図。
【図６】本発明のデータ取得蓄積処理時のデータの状態遷移を示す図。
【図７】図７は、図５に示したステップＳ５０４の取得ブロック設定処理を更に詳細に説明するためのフローチャートである。
【符号の説明】
３０１…チューナ、３０２…復調／誤り訂正復号器、３０３…トランスポート処理器、３０４…映像復号器、３０５…音声復号器、３０６…ＯＳＤ処理器、３０７…入出力部、３０８…不揮発性メモリ、３０９…ＲＯＭ、３１０…ＲＡＭ、３１１…ＣＰＵ、３１２…モデム／ＬＡＮ、３１３…ＨＤＤ。
【図１】
2004120150.tif 000003
【図２】
2004120150.tif 000004
【図３】
2004120150.tif 000005
【図４】
2004120150.tif 000006
【図５】
2004120150.tif 000007
【図６】
2004120150.tif 000008
【図７】
2004120150.tif 000009